(57)【要約】      （修正有）【課題】色の違いのような、タッチパネル端部の望ましくない外観が緩和されたタッチパネルを提供する。【解決手段】タッチパネルは、カバープレート１００、光透過性分離層２００、不透明層３００及びタッチ検知層５００を含む。カバープレートは、互いに隣接する内面１１０とプレート側面１３０とを有する。内面は、互いに隣接する第１の部分１１１と第２の部分１１２とを有する。光透過性分離層は、第１の部分を覆い、周辺領域２２０と中心領域２１０とを有する。周辺領域は中心領域を囲む。光透過性分離層は、中心領域から遠いところに光透過性側面を有する。不透明層は、周辺領域を覆い、光透過性側面と実質的に位置合わせされた不透明な外側面を有する。タッチ検知層は中心領域上に位置し、光透過性分離層は、カバープレートとタッチ検知層とを分離する。【選択図】図１
2016162464.tif 000002
【特許請求の範囲】
【請求項１】
互いに隣接する内面とプレート側面とを有し、
内面が互いに隣接する第１の部分と第２の部分とを有する
カバープレートと、
第１の部分を覆い、
周辺領域と中心領域とを有し、周辺領域が中心領域を囲み、
中心領域から遠いところに光透過性側面を有する
光透過性分離層と、
周辺領域を覆い、
光透過性側面と実質的に位置合わせされた不透明な外側面を有し、
光透過性側面と不透明な外側面とがプレート側面に関して収縮して、内面の第２の部分を露出する
不透明層と、
中心領域上に位置し、
光透過性分離層がカバープレートとタッチ検知層とを分離する
タッチ検知層と、
を備えるタッチパネル。
【請求項２】
内面の第２の部分を少なくとも覆う接着層を更に備え、
接着層と不透明層とが類似した色を有し、
接着層の粘度が、不透明層の粘度よりも大きい
請求項１記載のタッチパネル。
【請求項３】
光透過性分離層の光透過性側面と、不透明層の不透明な外側面とが規則的にパターン化されている
請求項１記載のタッチパネル。
【請求項４】
光透過性側面と、不透明な外側面とが互いに完全に位置合わせされている
請求項１記載のタッチパネル。
【請求項５】
内面上の光透過性側面の射影と、内面上の不透明な外側面の射影とが１５０μｍから３５０μｍまでの範囲の間隔を定義する
請求項１記載のタッチパネル。
【請求項６】
内面上の光透過性側面の射影と、内面上の不透明な外側面の射影とが同じ形状で、異なる大きさを有する
請求項１記載のタッチパネル。
【請求項７】
内面上の光透過性側面の射影が、内面上の不透明な外側面の射影を囲うか、
内面上の不透明な外側面の射影が、内面上の光透過性側面の射影を囲う
請求項６記載のタッチパネル。
【請求項８】
光透過性分離層の周辺領域が、複数の光透過性構造と、複数の中空領域とを有し、
光透過性構造と中空領域とが交互に配置され、
不透明層が、中空領域を少なくとも覆う
請求項１記載のタッチパネル。
【請求項９】
不透明層の少なくとも一部分及び光透過性分離層の少なくとも一部分が、接着層とカバープレートとの間に挟まれる
請求項１記載のタッチパネル。
【請求項１０】
接着層の少なくとも一部分が、光透過性分離層の少なくとも一部分とカバープレートとの間に挟まれ、
光透過性分離層の一部分が、接着層の一部分と不透明層の少なくとも一部分との間に挟まれる
請求項１記載のタッチパネル。
【請求項１１】
接着層の材料の粘度が、１０００ＣＰＳ以上である
請求項１記載のタッチパネル。
【請求項１２】
互いに隣接する内面とプレート側面とを有するカバープレートを供給し、
内面は、互いに隣接する第１の部分と第２の部分とを有し、
光透過性分離層を形成して第１の部分を覆い、
光透過性分離層は、周辺領域と中心領域とを有し、周辺領域は中心領域を囲み、
光透過性分離層は、中心領域から遠いところに光透過性側面を有し、
不透明層を形成して光透過性分離層の周辺領域を覆い、
不透明層は、光透過性側面と実質的に位置合わせされた不透明な外側面を有し、
光透過性側面と不透明な外側面とは、プレート側面に関して収縮して、内面の第２の部分を露出し、
中心領域上にタッチ検知層を形成し、
光透過性分離層は、カバープレートとタッチ検知層とを分離する
タッチパネルの製造方法。
【請求項１３】
接着層を更に形成して内面の第２の部分を少なくとも覆い、
接着層と不透明層とは類似した色を有し、
接着層の粘度は、不透明層の粘度よりも大きい
請求項１２記載のタッチパネルの製造方法。
【請求項１４】
光透過性分離層及び不透明層の形成は、
カバープレートの内面の全面上に光透過性分離層を形成し、
光透過性分離層をパターン化して、
光透過性分離層の光透過性側面を規則的にパターン化して第２の部分を露出し、
第２の部分の全面と、光透過性分離層の全面との上に、不透明層を形成し、
不透明層をパターン化し、
不透明層の不透明な外側面を規則的にパターン化して第２の部分を露出する
請求項１２記載のタッチパネルの製造方法。
【発明の詳細な説明】
【技術分野】
【０００１】
本開示はタッチパネル及びその製造方法に関する。
【背景技術】
【０００２】
タッチ制御技術の進展に伴い、スマートフォンやタブレットのように、より多くの電気製品がタッチパネルを採用し、スクリーン上に表示されたアイコンをユーザがタッチしてコマンドを入力できるようにしている。
【先行技術文献】
【特許文献】
【０００３】
【特許文献１】中国実用新案第２０３２８７８７０号明細書
【発明の概要】
【発明が解決しようとする課題】
【０００４】
１枚ガラスのタッチパネル（one-glass touch panel）では、タッチ検知電極はカバーガラス上に直接形成される。タッチ検知電極の材料がカバーガラス上に直接塗布された後、この材料及びカバーガラスはフォトリソグラフィ処理を受ける。これらのフォトリソグラフィ処理により、この材料はカバーガラスの表面上で結晶化するが、それはカバーガラスの構造的な強度を低くし、カバーガラスの衝撃抵抗力を削減する。この問題に対応するために、いくつかの製造業者は、カバーガラスからタッチ検知電極を分離するために、カバーガラスの表面上に光透過性のフォトレジスト材料を塗布している。
【０００５】
典型的には、黒色マスク（black mask、ＢＭ）層が更にカバーガラス表面の周辺領域上に形成される。ＢＭ材料の溶液が光透過性のフォトレジスト材料上に塗布されたとき、被覆物（coating）の表面張力が、ＢＭ材料の端部の不規則な収縮を誘発する。更に、溶媒を蒸発させた後に、溶液中の固相材料が収縮した端部上で結晶化し、比較的明るいパターンの原因となる。同様に、表面張力は光透過性のフォトレジスト材料の端部の不規則な収縮も誘発し、それにより比較的明るいパターンを誘発する。特に、光透過性のフォトレジスト材料の不規則な収縮により引き起こされた比較的明るいパターンは、ＢＭ層の存在により、より気付かれやすい。
【課題を解決するための手段】
【０００６】
本開示は、色の違いのような、タッチパネルの端部の望ましくない外観が緩和されたタッチパネルを提供する。
【０００７】
本開示のいくつかの実施の形態に従うと、タッチパネルは、カバープレートと、光透過性分離層と、不透明層と、タッチ検知層とを含む。カバープレートは、互いに隣接する内面とプレート側面とを有する。内面は、たがいに隣接する第１の部分と第２の部分とを有する。光透過性分離層は、カバープレートの内面の第1の部分を覆う。光透過性分離層は、周辺領域と中心領域とを有する。周辺領域は、中心領域を囲む。光透過性分離層は、中心領域から遠いところに光透過性側面を有する。不透明層は、周辺領域を覆い、光透過性側面と実質的に位置合わせされた不透明な外側面を有する。光透過性側面及び不透明な外側面はプレート側面に関して収縮し、内面の第２の部分を露出する。タッチ検知層は、中心領域上に位置する。光透過性分離層は、カバープレートとタッチ検知層とを分離する。
【０００８】
本開示のいくつかの実施の形態に従うと、タッチパネルの製造方法は、互いに隣接する内面とプレート側面とを有し、内面は互いに隣接する第１の部分と第２の部分とを有するカバープレートを提供することを含む。光透過性分離層は、第1の部分を覆うように形成される。光透過性分離層は、周辺領域と中心領域とを有する。周辺領域は、中心領域を囲む。光透過性分離層は、中心領域から遠いところに光透過性側面を有する。不透明層は、光透過性分離層の周辺領域を覆うように形成される。不透明層は、光透過性側面と実質的に位置合わせされた不透明な外側面を有する。光透過性側面及び不透明な外側面はプレート側面に関して収縮し、内面の第２の部分を露出する。タッチ検知層は、中心領域上に形成される。光透過性分離層は、カバープレートとタッチ検知層とを分離する。
【発明の効果】
【０００９】
前述の実施の形態において、光透過性側面と不透明な外側面とは実質的に位置合わせされて、プレート側面に関して収縮するので、光透過性分離層及び不透明層の不規則な収縮により誘発される色の違いを緩和することができ、色の違いのような望ましくない外観の問題を解決することができる。
【００１０】
前述の一般的な記載及び後述の詳細な記載はともに例示であり、特許請求された開示の更なる説明を提供することを意図することを理解すべきである。
後述の実施の形態の詳細な記載を読み、それに続く添付した図面を参照することで、開示はより良く理解できる。
【図面の簡単な説明】
【００１１】
【図１】本開示のいくつかの実施の形態に従うタッチパネルの概略図である。
【図２】図１の拡大断片図（an enlarged fragmentary view）である。
【図３】本開示のいくつかの実施の形態に従うタッチパネルの製造方法のフローチャートである。
【図４】本開示の他の実施の形態に従うタッチパネルの概略図である。
【図５】図４のタッチパネルの拡大断片図である。
【図６】図５のタッチパネルの平面図である。
【図７】本開示の他の実施の形態に従うタッチパネルの概略図である。
【図８】図７のタッチパネルの拡大断片図である。
【図９】図８のタッチパネルの平面図である。
【図１０】本開示の他の実施の形態に従うタッチパネルの概略図である。
【図１１】本開示の他の実施の形態に従うタッチパネルの概略図である。
【発明を実施するための形態】
【００１２】
添付した図面に例が示された、本開示の実施の形態について、詳細に参照する。可能であれば、図面及び明細書において、同じ又は同様の部分を参照するために、同じ参照番号が用いられる。
【００１３】
図１は、本開示のいくつかの実施の形態に従うタッチパネルの概略図である。図１に示すように、タッチパネルは、カバープレート１００、光透過性分離層２００、不透明層３００及びタッチ検知層５００を含む。
【００１４】
カバープレート１００は、内面１１０、外面１２０及びプレート側面１３０を有する。外面１２０は、ユーザのタッチ制御インターフェイスとして働く。そのうえ、汚れ防止層、指紋防止層、摩耗防止層又は映り込み防止層のような１つ以上の機能層が、外面１２０上に配置される。内面１１０と外面１２０とは反対の位置にある。プレート側面１３０は、内面１１０及び外面１２０と隣接する。特に、プレート側面１３０は、内面１１０と外面１２０との間で垂直に隣接する。内面１１０は、互いに隣接する第１の部分１１１と第２の部分１１２とを有する。いくつかの実施の形態において、第２の部分１１２は、プレート側面１３０に近い、内面１１０の周辺領域であり、第１の部分１１１は、内面１１０の中心領域である。第２の部分１１２は、第１の部分１１１を囲む。カバープレート１００の下の光透過性分離層２００、不透明層３００及びタッチ検知層５００を保護する能力を改善するために、外面１２０、内面１１０及びプレート側面１３０は、化学的に又は物理的に強化される。
【００１５】
光透過性分離層２００は、カバープレート１００の内面１１０の第１の部分１１１を覆い、第２の部分１１２を覆わない。光透過性分離層２００は、中心領域２１０と周辺領域２２０とを有する。周辺領域２２０は中心領域２１０を囲む。不透明層は３００は、周辺領域２２０を覆い、タッチ検知層５００は中心領域２１０を少なくとも覆う。カバープレート１００上の光透過性分離層２００の正射影領域は、カバープレート１００上のタッチ検知層５００の正射影領域よりも大きい。言い換えると、タッチ検知層５００は、中心領域２１０上に位置し、光透過性分離層２００の中心領域２１０は、カバープレート１００とタッチ検知層５００とを分離できる。中心領域２１０は、タッチ検知層５００と接する光透過性分離層２００上の領域であり、周辺領域２２０は、不透明層３００と接する光透過性分離層２００上の領域であると理解される。
【００１６】
光透過性分離層２００と不透明層３００とが内面１１０の第２の部分１１２を覆うときは、第２の部分１１２上の光透過性分離層２００と不透明層３００とにより引き起こされた、比較的明るいパターンのような色の違いにユーザは気付くかもしれない。光透過性分離層２００と不透明層３００とを塗布した後に、第２の部分１１２上の光透過性分離層２００と不透明層３００とが不規則に収縮することが観察される。そのような不規則な収縮は、色の違いをより気付きやすくする。それゆえ、本開示の実施の形態は、この問題を解決する後述の技術的な解決方法を提供する。
【００１７】
図１の拡大断片図である、図２を参照する。本開示のいろいろな実施の形態において、光透過性分離層２００は、中心領域２１０から遠いところに光透過性側面２２１を有する。特に、光透過性側面２２１は、中心領域２１０から最も遠い、周辺領域２２０の部分である。不透明層３００は不透明な外側面３１０を有する。光透過性側面２２１と不透明な外側面３１０とは実質的に互いに位置合わせされ、それらの境界は肉眼では気付かれない。プレート側面１３０よりも、光透過性側面２２１及び不透明な外側面３１０は中心領域２１０に近く、光透過性側面２２１及び不透明な外側面３１０はプレート側面１３０に関して収縮し、内面１１０の第２の部分１１２を露出する。特に、光透過性分離層２００の光透過性側面２２１及び不透明層３００の不透明な外側面３１０は、規則的なパターンとなるように規則的にパターン化され、内面１１０の第２の部分１１２を露出する。
【００１８】
光透過性側面２２１及び不透明な外側面３１０はプレート側面１３０に関して収縮するだけではなく、光透過性側面２２１及び不透明な外側面３１０も互いに実質的に位置合わせされる。それゆえ、光透過性側面２２１及び不透明な外側面３１０は、不規則に収縮する代わりに、規則的に収縮する。かくして、ユーザが外面１２０上の位置からタッチパネルを見たときに、タッチパネルの端部の色の違いは容易に気付かれず、光透過性分離層２００及び不透明層３００の不規則な収縮により誘発された比較的明るいパターンにより引き起こされる色の違いは解決できる。
【００１９】
この文脈（context）では、光透過性側面２２１及び不透明な外側面３１０に関して、「規則的にパターン化されること（regularly patterned）」及び「実質的に位置合わせされること（substantially aligned）」は、光透過性側面２２１と不透明な外側面３１０とが完全に位置合わせされた実施の形態を言及するだけではなく、光透過性側面２２１と不透明な外側面３１０との境界が肉眼で気付かれない限りにおいて、光透過性側面２２１と不透明な外側面３１０とが極端に短い間隔を保つ実施の形態、又は、光透過性側面２２１と不透明な外側面３１０とが規則的に勾配を付けられた（graded）パターンとして形成される実施の形態も言及することが理解される。
【００２０】
図２に示すように、いろいろな実施の形態において、不透明層３００は不透明な内側面３２０を有する。不透明な外側面３１０は不透明な内側面３２０の反対側にある。不透明な内側面３２０よりも、不透明な外側面３１０は中心領域２１０の遠くにある。特に、不透明な外側面３１０は、中心領域２１０から最も遠い、不透明層３００の部分であり、不透明な内側面３２０は、中心領域２１０に最も近い、不透明層３００の部分である。図２に示すように、いくつかの実施の形態において、光透過性側面２２１と不透明な外側面３１０とは互いに完全に位置合わせされている。言い換えると、内面１１０上の光透過性側面２２１の射影と、内面１１０上の不透明な外側面３１０の射影とは同じ形状、同じ大きさを有する。言い換えると、光透過性側面２２１のどの部分も不透明な外側面３１０の外側に拡がっておらず、不透明な外側面３１０の内側に収縮していない。そのような構成により、ユーザがカバープレート１００の外面１２０上の位置からタッチパネルを見たときに、色の違いに容易に気付かない。
【００２１】
いろいろな実施の形態において、図２に示すように、光透過性側面２２１からプレート側面１３０までのＸ方向に沿った距離は、不透明な外側面３１０からプレート側面１３０までのＸ方向に沿った距離と等しく、光透過性側面２２１と不透明な外側面３１０とは完全に互いに位置合わせされ、プレート側面１３０に関して収縮される。
【００２２】
いくつかの実施の形態において、光透過性分離層２００は、光透過性の、耐熱性の材料でできた塗布層である。例えば、光透過性分離層２００の材料は、プラスチックポリマーと、ポリイミド、ＰＭＭＡ、ポリカーボネート（ＰＣ）、ポリエチレンテレフタレート（ＰＥＴ）又は光透過性レジストのようなエラストマーとを含む高分子弾性材料を含む。光透過性分離層２００の周辺領域２２０は、フォトリソグラフィのような技術を用いて規則的なパターンとなるように規則的にパターン化することができ、光透過性側面２２１は不透明な外側面３１０と実質的に位置合わせされることができる。
【００２３】
特に、光透過性分離層２００は、カバープレート１００の内面１１０の全面上に、最初は塗布処理し、次に周辺領域２２０のパターンをフォトマスクのデザインにより定義し、次に第２の部分１１２上の光透過性分離層２００を除去して、形成することができる。例えば、図２に示すように、光透過性側面２２１と不透明な外側面３１０とが実質的に互いに位置合わせされるように、光透過性側面２２１の形状及び大きさをフォトマスクのデザインにより定義できる。前述のフォトリソグラフィ処理は、光透過性側面２２１と不透明な外側面３１０とが実質的に互いに位置合わせされるための一例であって、この開示に限定されないことが理解される。
【００２４】
いくつかの実施の形態において、不透明層３００の材料は不透明なフォトレジストを含む。不透明なフォトレジストは、黒色フォトレジスト又は茶色フォトレジストのような濃色のフォトレジストであっても良い。不透明層３００は、規則的なパターンとなるように、フォトリソグラフィにより規則的にパターン化されても良い。特に、不透明層３００のパターンは、フォトマスクのデザインにより定義できる。例えば、不透明な外側面３１０の形状及び大きさは、図２に示すように、光透過性側面２２１と不透明な外側面３１０とが実質的に互いに位置合わせされるように、フォトマスクのデザインにより定義できる。前述のフォトリソグラフィ処理は、光透過性側面２２１と不透明な外側面３１０とが実質的に互いに位置合わせされるための一例であって、この開示に限定されないことが理解される。
【００２５】
光透過性分離層２００の光透過性側面２２１及び不透明層３００の不透明な外側面３１０は、規則的なパターンとなるように規則的にパターン化される。いろいろな実施の形態において、タッチパネルの製造方法を、図３に示す。
【００２６】
ステップＳ１では、カバープレート１００が提供される。次に、ステップＳ２では、光透過性分離層２００が、カバープレート１００の内面１１０の全面上に形成される。例えば、光透過性分離層２００の材料溶液が、内面１１０上に塗布される。次に、ステップＳ３では、光透過性側面２２１を規則的にパターン化し、第２の部分１１２を露出するように、光透過性分離層２００がフォトリソグラフィによりパターン化される。次に、ステップＳ４では、不透明層３００が第２の部分１１２及び光透過性分離層２００の全面上に形成される。例えば、不透明層３００の材料溶液が、光透過性分離層２００及び第２の部分１１２の上に塗布される。次に、ステップＳ５では、不透明層３００の不透明な外側面３１０を規則的にパターン化し、第２の部分１１２を露出するために、不透明層３００がフォトリソグラフィによりパターン化される。光透過性分離層２００の光透過性側面２２１と、不透明層３００の不透明な外側面３１０とは互いに実質的に位置合わせされる。それゆえ、光透過性分離層２００が第２の部分１１２上に形成されたときに、光透過性分離層２００の端部が不規則に収縮し、不透明層３００が光透過性分離層２００上に形成されたときに、不透明層３００が不規則に収縮したとしても、次の理由により、ユーザが外面１２０上の位置からタッチパネルを見たときに、光透過性分離層２００の形状欠陥に気付かない。一つの理由としては、光透過性分離層２００及び不透明層３００を形成した後に、不規則な収縮により引き起こされた比較的明るいパターンを除去するために、光透過性分離層２００及び不透明層３００が規則的なパターンとなるように規則的にパターン化されることである。他の理由としては、光透過性分離層２００の光透過性側面２２１と、不透明層３００の不透明な外側面３１０とが互いに実質的に位置合わせされていることである。他の理由としては、光透過性分離層及び不透明層の厚さよりも、カバープレート１００がかなり大きな厚さを有し、カバープレート１００の端部が一様な影を生じることである。それゆえ、影が光透過性側面２２１と不透明な外側面３１０との境界を更に覆って、タッチパネルの外観を更に改善するように、第２の部分１１２の幅が合理的に決定される。第２の部分１１２の幅は、内面１１０上の光透過性側面２２１又は不透明な外側面３１０の射影と、内面１１０上のプレート側面１３０の射影とにより定義される間隔である。好ましくは、間隔は１５０μｍから３５０μｍまでの範囲をとる。
【００２７】
前述の方法は、光透過性分離層２００及び不透明層３００をパターン化するための一例である。代わりに、パターン処理は、印刷、レーザエッチング、転写印刷などにより実行されても良い。
【００２８】
いろいろな実施の形態において、光透過性分離層２００及び不透明層３００の両方がプレート側面１３０に関して収縮して第２の部分１１２を露出するので、第２の部分１１２上の光の漏れを防ぐために、ステップＳ６では、接着層４００が、カバープレート１００の内面１１０の第２の部分１１２上に形成される。最後に、ステップＳ７では、タッチパネルを形成するために、タッチ検知層５００が光透過性分離層２００の少なくとも中心領域２１０上に形成される。
【００２９】
それゆえ、いろいろな実施の形態において、図２に示すように、タッチパネルは更に接着層４００を含む。接着層４００は内面１１０の第２の部分１１２を少なくとも覆う。接着層４００及び不透明層３００は、類似の色と異なる特性とを有する。接着層４００の粘度は、不規則な収縮を防ぐために、不透明層３００の粘度よりも大きい。タッチ検知層５００の配線領域５２０上の配線の信頼性を改善するために、不透明層３００の材料は塗布された不透明層３００の均一性と滑らかさとに基づいて決定され、それゆえ、不透明層３００の材料の粘度は比較的小さく、この材料の溶液はより小さな粒子を含む。特に、接着層４００と不透明層３００とは同じ色を有する。例えば、接着層４００及び不透明層３００の色は、黒色又は茶色のような濃色である。いろいろな実施の形態において、接着層４００の粘度は不透明層３００の粘度よりも大きく、不透明層３００と比較したときに、接着層４００上で不規則な収縮が比較的に起こりにくい。かくして、内面１１０の第２の部分を完全に覆い、内面１１０の第２の部分１１２を光が通過することを防ぐために、接着層４００は、内面１１０の第２の部分１１２とプレート側面１３０との境界に接することができる。好ましくは、接着層４００の材料の粘度は１０００ＣＰＳよりも大きく、不透明層３００の材料の粘度は４ＣＰＳから３０ＣＰＳまでの範囲をとる。例えば、不透明層３００の材料は不透明なフォトレジストを含み、接着層４００の材料は、黒色インク又は茶色インクのような、インク又は絶縁接着剤を含むが、これらを含むことに限定されない。インクは塗布された後に硬化（cure）される。
【００３０】
いろいろな実施の形態において、不透明層３００の一部分、タッチ検知層５００の一部分及び光透過性分離層２００の周辺領域２２０の一部分は、接着層４００とカバープレート１００とに挟まれる。言い換えると、接着層４００は、カバープレート１００の内面１１０上で、タッチ検知層５００の一部分、不透明層３００の一部分及び周辺領域２２０の一部分を覆う。
【００３１】
いろいろな実施の形態において、図１に示すように、タッチパネルは、フレキシブル配線板６００と制御回路７００とを更に含む。制御回路７００はフレキシブル配線板６００に電気的に接続され、フレキシブル配線板６００上に配置される。タッチ検知層５００により検出されたタッチ信号を制御回路７００に伝達するために、フレキシブル配線板６００はタッチ検知層５００に電気的に接続される。特に、タッチ検知層５００は電極領域５１０と配線領域５２０とを含む。配線領域５２０は電極領域５１０を囲むか、電極領域５１０の少なくとも一方の側に位置する。電極領域５１０は、光透過性分離層２００の中心領域２１０上に配置され、そこに複数の透明導電パターンを含む。透明導電パターンの材料は、インジウム錫酸化物（ＩＴＯ）又はインジウム亜鉛酸化物（ＩＺＯ）であるが、これらに限定されない。配線領域５２０は不透明層３００上に配置され、ユーザが外面１２０上の位置からタッチパネルを見たときに、配線領域５２０は不透明層３００の陰となる。それゆえ、配線領域５２０は光透過性構成要素を必要とせず、いろいろな実施の形態において、配線領域５２０はそこに複数の金属配線を含む。金属配線の材料は銅又は銀であるが、これらに限定されない。電極領域５１０の透明導電パターンは、配線領域５２０の金属配線に電気的に接続され、配線領域５２０の金属配線はフレキシブル配線板６００に電気的に接続される。それゆえ、電極領域５１０の透明導電パターンがタッチ信号を検出したときに、タッチ信号は配線領域５２０の金属配線を介してフレキシブル配線板６００に伝達され、フレキシブル配線板６００を介して制御回路７００に伝達される。
【００３２】
図４は、本開示の他の実施の形態に従うタッチパネルの概略図である。図５は、図４のタッチパネルの拡大断片図である。図４、５に示すように、この実施の形態と前述の実施の形態との間の主な違いは、光透過性分離層２００ａと不透明層３００とが異なる大きさを有することである。特に、光透過性分離層２００ａは、中心領域２１０ａと中心領域２１０ａを囲む周辺領域２２０ａとを含む。周辺領域２２０ａは、中心領域２１０ａから遠いところに光透過性側面２２１ａを含む。光透過性側面２２１ａは、不透明な外側面３１０に関して収縮する。言い換えると、不透明な外側面３１０よりも、光透過性側面２２１ａは中心領域２１０ａに近い。言い換えると、光透過性側面２２１ａから中心領域２１０ａまでのＸ方向に沿った距離は、不透明な外側面３１０から中心領域２１０ａまでのＸ方向に沿った距離よりも短い。光透過性側面２２１ａが不透明な外側面３１０に関して収縮する間隔は十分に短く、肉眼では色の違いに気付かないことが理解される。
【００３３】
特に、図５のタッチパネルの平面図である図６に示すように、平面図では、内面１１０上の光透過性側面２２１ａの射影と、内面１１０上の不透明な外側面３１０の射影とは、同じ形状、異なる大きさを有する。特に、内面１１０上の不透明な外側面３１０の射影は、内面１１０上の光透過性側面２２１ａの射影を囲む。内面１１０上の光透過性側面２２１ａの射影及び内面１１０上の不透明な外側面３１０の射影は、間隔ｄ１を定義し、間隔ｄ１は０．０１ｍｍ以下であり、それは十分に短くて、肉眼では色の違いに気付かない。内面１１０上の光透過性側面２２１ａの射影形状と、内面１１０上の不透明な外側面３１０の射影形状とは同じであるから、光透過性側面２２１ａの各位置と、不透明な外側面３１０の対応する位置との間隔は一定であり、それゆえ、光透過性側面２２１ａの全面は、気付かれない間隔で一様に収縮する。かくして、この実施の形態において、光透過性側面２２１ａは不透明な外側面３１０と完全に位置合わせされていないけれども、ユーザがタッチパネルを見たときに、やはり色の違いに気付かない。
【００３４】
図４〜６に示した他の構成要素は、図１、２に示したのと同じものであり、それらを繰り返して説明しない。
【００３５】
図７は、本開示の他の実施の形態に従うタッチパネルの概略図である。図８は、図７のタッチパネルの拡大断片図である。図７、８に示すように、この実施の形態と前述の実施の形態との間の主な違いは、光透過性分離層２００ｂと不透明層３００とが異なる大きさを有することである。特に、光透過性分離層２００ｂは、中心領域２１０ｂと、中心領域２１０ｂを囲む周辺領域２２０ｂとを含む。周辺領域２２０ｂは、中心領域２１０ｂから遠いところに光透過性側面２２１ｂを含む。光透過性側面２２１ｂは、不透明な外側面３１０に関して、外側に拡がるか、突き出している。言い換えると、不透明な外側面３１０よりも、光透過性側面２２１ｂは中心領域２１０ｂから遠い。言い換えると、光透過性側面２２１ｂから中心領域２１０ｂまでのＸ方向に沿った距離は、不透明な外側面３１０から中心領域２１０ｂまでのＸ方向に沿った距離よりも長い。光透過性側面２２１ｂが、不透明な外側面３１０に関して、拡がるか、突き出している間隔は十分に短く、肉眼では色の違いに気付かない。
【００３６】
特に、図８のタッチパネルの平面図である図９に示すように、平面図では、内面１１０上の光透過性側面２２１ｂの射影と、内面１１０上の不透明な外側面３１０の射影とは、同じ形状、異なる大きさを有する。特に、内面１１０上の光透過性側面２２１ｂの射影は、内面１１０上の不透明な外側面３１０の射影を囲む。内面１１０上の光透過性側面２２１ｂの射影及び内面１１０上の不透明な外側面３１０の射影は、間隔ｄ２を定義し、間隔ｄ２は０．０１ｍｍ以下であり、それは十分に短くて、肉眼では色の違いに気付かない。光透過性側面２２１ｂの各位置と、不透明な外側面３１０の対応する位置との間隔は一定であり、光透過性側面２２１ｂの全面は、気付かれない間隔で一様に拡がり、又は、突き出す。かくして、この実施の形態において、光透過性側面２２１ｂは不透明な外側面３１０と完全に位置合わせされていないけれども、ユーザがタッチパネルを見たときに、色の違いにはやはり気付かない。
【００３７】
図７〜９に示した他の構成要素は、図１、２に示したものと同じであり、それゆえ、それらを繰り返して説明しない。
【００３８】
図１０は、本開示の他の実施の形態に従うタッチパネルの概略図である。図１０に示すように、この実施の形態と前述の実施の形態との主な違いは、光透過性分離層２００ｃの周辺領域２２０ｃがパターン化され、不透明層３００の代わりに勾配パターンを形成することである。特に、光透過性分離層の周辺領域２２０ｃは複数の光透過性構造２２２ｃと、複数の中空領域２２３ｃとを有する。光透過性構造２２２ｃと中空領域２２３ｃとは、交互に配置される。不透明層３００は、中空領域２２３ｃを覆う。特に、光透過性構造２２２ｃは、例えば、光透過性フォトレジストを有し、中空領域２２３ｃは、光透過性フォトレジストを有さずに、不透明層３００を露出する。それゆえ、ユーザが上からタッチパネルを見たときに、光透過性構造２２２ｃと中空領域２２３ｃとが交互に配置されて、それらは気付かれない。いろいろな実施の形態において、光透過性構造２２２ｃの材料は光透過性フォトレジストであるが、これに限定されない。
【００３９】
いろいろな実施の形態において、図１０に示すように、中空領域２２３ｃの領域は、特定の方向に沿って、徐々に変化する。例えば、ユーザが色の違いに一層気付かないようにするために、中空領域２２３ｃの領域は、（図８に示す）中心領域に向かう方向に沿って増加する。これらの勾配パターンは例であって、本開示を限定しないことが理解される。ユーザが色の違いに気付かないようにする、他のどのような勾配パターンも本開示に含まれる。光透過性側面及び不透明な外側面は明瞭化のために図１０に示されていないが、いくつかの実施の形態において、周辺領域２２０ｃと不透明層３００とによってどのような勾配パターンが形成されても、周辺領域２２０ｃの光透過性側面と、不透明層３００の不透明な外側面とはやはり実質的に互いに位置合わせされることが理解される。
【００４０】
図１１は、本開示の他の実施の形態に従うタッチパネルの概略図である。図１１に示すように、この実施の形態と前述の実施の形態との主な違いは、接着層４００ａの位置が前述の接着層４００とは異なることである。特に、接着層４００ａの少なくとも一部分は、光透過性分離層２００の周辺領域２２０の少なくとも一部分と、カバープレート１００とに挟まれ、周辺領域２２０のこの部分は、接着層４００ａのこの部分と不透明層３００の少なくとも一部分とに挟まれる。言い換えると、光透過性分離層２００の周辺領域２２０は、カバープレート１００の内面１１０上の接着層４００ａを覆い、不透明層３００は周辺領域２２０上で覆われる。接着層４００ａは、光透過性分離層２００と不透明層３００とによって覆われていない内面１１０の第２の部分１１２を少なくとも覆う。内面１１０の第２の部分１１２を完全に覆うために、接着層４００ａは、内面１１０の第２の部分１１２とプレート側面１３０との境界に接する。
【００４１】
本開示は、そのいくつかの実施の形態を参照してかなり詳細に記述されたが、他の実施の形態も可能である。それゆえ、添付の特許請求の範囲の趣旨及び範囲は、ここに含まれる実施の形態の記述に限定されない。
【００４２】
本開示の範囲又は趣旨から離れることなく、開示した構造に対していろいろな修正及び変更が可能であることは、当業者にとって明らかである。このために、次の特許請求の範囲に含まれるのであれば、本開示は、本開示の修正及び変更を含むものである。
【００４３】
この出願は、２０１５年３月５日に中華人民共和国で出願された中国特許出願第２０１５１００９６７５６．５号の優先権を主張し、ここに本明細書の一部として援用する。
【図１】
2016162464.tif 000003
【図２】
2016162464.tif 000004
【図３】
2016162464.tif 000005
【図４】
2016162464.tif 000006
【図５】
2016162464.tif 000007
【図６】
2016162464.tif 000008
【図７】
2016162464.tif 000009
【図８】
2016162464.tif 000010
【図９】
2016162464.tif 000011
【図１０】
2016162464.tif 000012
【図１１】
2016162464.tif 000013